(57)【要約】【目的】収容するパソコンの大きさと関係なく、バッグの中にしっかりと固定できるようにする。【構成】バッグを形成する少なくとも上下２面（２、３）を有し、この上下２面の片面（３）内部にパソコンの押さえ部材（６）を少なくとも１対設けたパソコン携帯用バッグ（１）である。前記押さえ部材（６）は、一端部が前記片面の輪郭線（７）よりも内側の接合線（９）で取り付けられており、他端部には固定具（８）が取り付けられている。例えば、パソコン携帯用バッグの大きさがＡ４のパソコンに対応したものであるとき、接合線（９）の位置はＢ５の大きさのパソコンに相当する位置である。【選択図】　図１
2004073563.tif 000002
【特許請求の範囲】
【請求項１】
バッグを形成する少なくとも上下２面（２、３；２Ａ、３Ａ：２Ｂ，３Ｂ）を有し、この上下２面の片面（３、３Ａ、３Ｂ）内部にパソコンの押さえ部材（６、６Ａ、６Ｂ）を少なくとも１対設けたパソコン携帯用バッグ（１、１Ａ、１Ｂ）において、
前記押さえ部材（６、６Ａ、６Ｂ）の一端部が前記片面の輪郭線（７、７Ａ、７Ｂ）よりも内側の接合線（９、９Ａ、９Ｂ）で取り付けられており、他端部には固定具（８、８Ａ、８Ｂ）が取り付けられていることを特徴とするパソコン携帯用バッグ。
【請求項２】
パソコンの押さえ部材（６、６Ａ、６Ｂ）が前後及び左右方向に２対設けられた請求項１記載のパソコン携帯用バッグ。
【請求項３】
パソコン携帯用バッグの大きさがＡ４のパソコンに対応したものであるとき、接合線（９、９Ａ、９Ｂ）の位置がほぼＢ５の大きさのパソコンに相当する位置である請求項１又は２記載のパソコン携帯用バッグ。
【発明の詳細な説明】
【０００１】
【発明の属する技術分野】
本発明はパソコン携帯用バッグに関する。本明細書では「バッグ」はパソコンが収容可能なものであればよく、必ずしも箱又は袋状になっていなくてもよいものとする。
【０００２】
【従来の技術】
パソコンをバッグに入れて携帯するとき、衝撃からパソコンを保護するためにバッグ表面生地にクッション材を詰めたり、パソコンが内部で移動しないように紐で固定したりしている。後者の固定紐は、一端が固定され、他端が遊端となっている２本の紐からなっているものが多い。遊端部先端には面ファスナが取り付けられていて、相互に付着可能としている。
【０００３】
【発明が解決しようとする課題】
紐による従来のパソコンの固定方式は、パソコンの大きさとバッグの大きさが対応している場合は問題ないが、バッグに比べてパソコンが小型の場合（例えばバッグがＡ４の大きさのパソコン用であるのに対して収容するパソコンがＢ５の大きさであるとき）は、紐とバッグの間に隙間ができてしっかりと固定ができなかった。そのため、ぐらつきが発生し、衝撃に対して弱いものとなっていた。
【０００４】
本発明は、収容するパソコンの大きさと関係なく、バッグの中にしっかりと固定できるようなパソコン携帯用バッグを提供することを目的とする。
【０００５】
【課題を解決するための手段】
本発明のパソコン携帯用バッグは、バッグを形成する少なくとも上下２面を有し、この上下２面の片面内部にパソコンの押さえ部材を少なくとも２つ設けたパソコン携帯用バッグにおいて、前記押さえ部材の一端部が前記片面の輪郭線よりも内側の接合線で取り付けられており、他端部には固定具が取り付けられていることを特徴とする。
【０００６】
【発明の実施の態様】
パソコンの押さえ部材は、細幅の紐、テープでもよいし、幅広の布、シート類であってもよい。押さえ部材は前後又は左右からパソコンを固定するために少なくとも２つ（１対）必要であるが、前後及び左右からパソコンを固定するために４つ（２対）設けてもよい。
【０００７】
押さえ部材の一端部はバッグ片面内部の輪郭線よりも内側の位置で設定される。例えば、パソコン携帯用バッグの大きさがＡ４のパソコンに対応したものであるとき、接合線の位置はほぼＢ５の大きさのパソコンに相当する位置とする。
【０００８】
押さえ部材の他端部に設けられる固定具は、例えば面ファスナ、スライドファスナ、ボタン、かぎホック等である。
【０００９】
【実施例】
以下、添付の図面に基づき、本発明の実施例を説明する。
【００１０】
図１は、本発明第１実施例のパソコン携帯用バッグ１を開いた状態の斜視図である。バッグは上下面２、３と四側面からなる扁平の箱状である。四側面のうち、三側面にスライドファスナ４が取り付けられており、これを開くことにより、バッグは１８０度広げられて中のパソコン５（図２、３）の出し入れが可能となる。
【００１１】
バッグ内部の下面３にはパソコンの押さえ部材６が４枚取り付けられている。各押さえ部材６は四角形の布であり、一端部が下面３に縫いつけられている。縫合線９の位置は下面３の輪郭線７よりも中央寄りである。
【００１２】
図２は、これらの押さえ部材６を使用してパソコンを包み込んだ状態の斜視図である。ちょうど風呂敷で物を包み込むときのように、４枚の押さえ部材６を使用して、四方向からパソコンを包み込む。包む順番は決まっているわけではないので、例えば前後片を閉じた後に左右片を閉じてもよいし、左右片を閉じた後に前後片を閉じてもよい。各押さえ部材６の遊端側には面ファスナ８が取り付けられているので、これらの面ファスナ同士を重ねることにより、閉じた状態で位置が固定される。
【００１３】
図３はパソコンを収容した状態におけるバッグの断面図である。（ａ）はやや小型のパソコン（例えばＢ５の大きさ）を収容したときであり、（ｂ）はやや大型のパソコン（例えばＡ４の大きさ）を収容したときのものである。
【００１４】
図３（ａ）では、押さえ部材６は、バッグ下面３との縫合線９からわずかに外側に延長された位置で立ち上がり、パソコンの外周を巡った後で固定されている。図３（ｂ）では、押さえ部材６は、バッグ下面３との縫合線９よりもかなり外側まで延長され、バッグ側部付近から立ち上がり、パソコン５の外周を巡った後で固定されている。いずれの場合にも、パソコン５と押さえ部材６との間には隙間が発生していない。
【００１５】
図４は本発明第２実施例のパソコン携帯用バッグ１Ａを開いた状態の斜視図である。
【００１６】
第２実施例のバッグ１Ａは上下２面２Ａ、３Ａだけでパソコン５を挟み込み、脇で抱える型式のものであるので、第１実施例と異なって側部と取っ手がない。パソコンの押さえ部材６Ａに関しては第１実施例と同様である。図４では、第１実施例と同一部分には同一符号に「Ａ」を付けて使用し、その詳細な説明を省略する。
【００１７】
図５は本発明第３実施例のパソコン携帯用バッグ１Ｂを開いた状態の斜視図である。
【００１８】
第３実施例のバッグ１Ｂは第１実施例と似ているが、パソコンの押さえ部材６Ｂが広幅の布ではなく、テープ状の紐であることが異なる。図５では、第１実施例と同一部分には同一符号に「Ｂ」を付けて使用し、その詳細な説明を省略する。
【００１９】
【発明の効果】
本発明は、特許請求の範囲記載の構成を有するので、パソコンの大きさと関係なく、パソコン５と押さえ部材６との間に隙間がほとんど発生しない。そのため、パソコンがバッグの中で安定的に支持され、ぐらつくことがない。また、図３の状態で運搬中に一時的に床面に降ろす場合、パソコン５とバッグ側面（図３の状態では下面）の間に隙間１０ができるので、ここがエアークッションの役割を果たして、パソコン５を衝撃から保護する。
【図面の簡単な説明】
【図１】本発明第１実施例のパソコン携帯用バッグを開いた状態の斜視図である。
【図２】押さえ部材を使用してパソコンを包み込んだ状態の斜視図である。
【図３】パソコンを収容した状態におけるバッグの断面図である。（ａ）はやや小型のパソコン（例えばＢ５の大きさ）を収容したときであり、（ｂ）はやや大型のパソコン（例えばＡ４の大きさ）を収容したときのものである。
【図４】本発明第２実施例のパソコン携帯用バッグを開いた状態の斜視図である。
【図５】本発明第３実施例のパソコン携帯用バッグを開いた状態の斜視図である。
【符号の説明】
１，１Ａ，１Ｂ　　　　パソコン携帯用バッグ
２，２Ａ，２Ｂ　　　　バッグ上面
３，３Ａ，３Ｂ　　　　バッグ下面
４，４Ｂ　スライドファスナ
５　　　　　　　パソコン
６、６Ａ，６Ｂ　　　　押さえ部材
７，７Ａ，７Ｂ　　　　輪郭線
８，８Ａ，８Ｂ　　　　面ファスナ
９，９Ａ，９Ｂ　　　　縫合線
【図１】
2004073563.tif 000003
【図２】
2004073563.tif 000004
【図３】
2004073563.tif 000005
【図４】
2004073563.tif 000006
【図５】
2004073563.tif 000007